(57)【特許請求の範囲】
【請求項１】
長手方向へ延びるアウターレールと、
前記アウターレールの幅方向の内側に配置され、前記アウターレールに対して前記長手方向へスライド可能なインナーレールと、
前記アウターレール及びインナーレール間に介在され、前記アウターレール及びインナーレールに対して前記長手方向へスライド可能なリテーナと、
前記リテーナの幅方向の縁部に回転可能に保持されるとともに、前記アウターレール及びインナーレールの幅方向の縁部どうし間に挟まれて転動可能な転動体と、
前記リテーナに回転可能に配置されるとともに、前記アウターレール及びインナーレールどうしの間に挟まれて転動可能な補助転動体と、
を備えたスライドレールにおいて、
軸線を前記幅方向へ向けた軸を備え、前記軸に前記補助転動体が設けられており、
前記リテーナには、前記軸を回転可能に支持する軸受部が設けられており、前記軸が前記幅方向へ延びるとともに、前記軸の両端部に前記補助転動体がそれぞれ設けられていることを特徴とするスライドレール。
【請求項２】
前記軸受部が、前記アウターレールに向かって開口された軸受凹部を有し、
前記軸が、前記軸受凹部に受け入れられるとともに前記長手方向に移動規制されていることを特徴とする請求項１に記載のスライドレール。
【請求項３】
遊技機本体と可動部材とを備えた遊技機に用いられる請求項１又は２に記載のスライドレールであって、
前記アウターレール及びインナーレールのうち一方が、前記遊技機本体及び可動部材のうち一方に取り付けられ、かつ前記アウターレール及びインナーレールのうち他方が、直接又は他のレールを介して、前記遊技機本体及び前記可動部材のうち他方に取り付けられており、前記可動部材を前記遊技機本体に対して前記長手方向へ案内する遊技機用スライドレール。
【請求項４】
請求項３に記載の遊技機用スライドレールを含む遊技機であって、前記遊技機用スライドレールの長手方向を非水平方向へ向けた姿勢で前記遊技機用スライドレールが取り付けられた遊技機。
【発明の詳細な説明】
【技術分野】
【０００１】
本発明は、２つの部材をスライド可能に連結するのに適したスライドレール、及び該スライドレールを組み込んだ遊技機に関する。
【背景技術】
【０００２】
例えば特許文献１にはスライドレールが記載されている。スライドレールは、アウターレールと、インナーレールを備えている。アウターレール及びインナーレールは、それぞれ断面コ字形状に形成されるとともに、互いに平行に向けられて対向している。インナーレールがアウターレールにスライド可能に係合されている。これらアウターレール及びインナーレールどうしの間にリテーナが介在されている。リテーナの幅方向の両端部には、球形状の転動体が回転可能に保持されている。転動体が、アウターレール及びインナーレールの幅方向の縁部どうし間に挟まれて転動される。
【０００３】
アウターレール及びインナーレールのうち一方は、キャビネット等の固定系に取り付けられ、他方は、引出し等の可動部材に取り付けられる。これによって、可動部材を、固定系に対してスライドレールの長手方向へスライドさせることができる。このとき、転動体がアウターレール及びインナーレールに対して転がることで抵抗を小さくできる。また、リテーナが、上記他方のレールの移動量に対してある決まった割合（例えば２分の１）でスライドされる。したがって、アウターレールとインナーレールとの相対位置に応じて、リテーナの正規のスライド位置が一義的に定まっている。
【０００４】
一方、スライドレールの長手方向が水平に対して斜めであったり鉛直であったりすると、リテーナが重力で下方へ滑ろうとする。また、可動部材のスライドを繰り返すうちに転動体が滑ることもある。さらには、転動体が定位置からずれていると、リテーナの移動割合が上記ある決まった値から変動する（特許文献２参照）。このような事象が起きた場合、リテーナが正規のスライド位置からずれてしまう。このずれが大きくなると、アウターレールの中途部でインナーレールとリテーナが相対移動不能になって動きが悪くなってしまうことがある。
【０００５】
そこで、特許文献１では、更に、リテーナの幅方向の中央部に球形状の補助転動体が設けられている。リテーナの幅方向の中央部には貫通穴が形成され、貫通穴の内周面が球面座になっている。球面座に上記補助転動体が全方向へ回転可能に保持されている。かつ、補助転動体は、アウターレール及びインナーレールの幅方向の中央部どうし間に転動可能に挟まれている。この補助転動体が、滑り止めとなることで、リテーナが正規のスライド位置からずれるのを防止又は抑制できる。
【先行技術文献】
【特許文献】
【０００６】
【特許文献１】実開平０１−１５４８４５号公報
【特許文献２】実開昭５０−１３２３２５号公報
【発明の概要】
【発明が解決しようとする課題】
【０００７】
上掲特許文献１のスライドレールにおいては、その組立の際、球形の補助転動体がリテーナの球面座から外れやすい。そのため、組立作業が煩雑であった。
本発明は、上記事情に鑑み、スライドレールにおける補助転動体の取り付け性を向上させ、ひいてはスライドレールの組立性を向上させることを目的とする。
【課題を解決するための手段】
【０００８】
上記課題を解決するために、本発明は、
長手方向へ延びるアウターレールと、
前記アウターレールの幅方向の内側に配置され、前記アウターレールに対して前記長手方向へスライド可能なインナーレールと、
前記アウターレール及びインナーレール間に介在され、前記アウターレール及びインナーレールに対して前記長手方向へスライド可能なリテーナと、
前記リテーナの幅方向の縁部に回転可能に保持されるとともに、前記アウターレール及びインナーレールの幅方向の縁部どうし間に挟まれて転動可能な転動体と、
前記リテーナに回転可能に配置されるとともに、前記アウターレール及びインナーレールどうしの間に挟まれて転動可能な補助転動体と、
を備えたスライドレールにおいて、
軸線を前記幅方向へ向けた軸（シャフト）を備え、前記軸に前記補助転動体が設けられており、
前記リテーナには、前記軸を回転可能に支持する軸受部が設けられていることを特徴とする。
このスライドレールを組み立てる際は、軸を軸受部に支持させることで、補助転動体をリテーナに容易かつ安定的に保持させることができる。ひいては、スライドレールを組立てし易くすることができる。また、リテーナにおける補助転動体用の貫通穴の内周面を球面座にする必要がなく、リテーナの製造が容易である。このスライドレールにおいて、リテーナが正規のスライド位置からずれようとしたときは、補助転動体の滑り抵抗が働くことによって、上記のずれを阻止することができる。したがって、アウターレールの中途部でインナーレールとリテーナが相対移動不能になって動きが悪くなるのを防止できる。
【０００９】
前記軸が前記幅方向へ延びるとともに、前記軸の両端部に前記補助転動体がそれぞれ設けられていることが好ましい。これによって、リテーナに１つの軸を設置することで、同時に２つの補助転動体を設置することができる。また、補助転動体をスライドレールの幅方向の中央部からずらして配置することで、アウターレール及びインナーレールの取付用ネジとの干渉を避けることができる。
【００１０】
前記軸受部が、前記アウターレールに向かって開口された軸受凹部を有し、
前記軸が、前記軸受凹部に受け入れられるとともに前記長手方向に移動規制されていることが好ましい。
これによって、軸受部及び補助転動体をリテーナに容易に設置でき、かつリテーナから簡単に外れないようにして安定的に保持することができる。ひいては、スライドレールの組立作業を一層容易化することができる。
【００１１】
前記スライドレールが、遊技機本体と可動部材とを備えた遊技機に用いられるものであって、
前記アウターレール及びインナーレールのうち一方が、前記遊技機本体及び可動部材のうち一方に取り付けられ、かつ前記アウターレール及びインナーレールのうち他方が、直接又は他のレールを介して、前記遊技機本体及び前記可動部材のうち他方に取り付けられており、前記可動部材を前記遊技機本体に対して前記長手方向へ案内することが好ましい。
これによって、遊技機の可動部材を遊技機本体に対してスムーズに移動させることができる。ここで、「直接取り付けられる」とは、アウターレール及びインナーレールのうち他方と、遊技機本体及び可動部材のうち他方とが、相対移動不能に取り付けられて固定されることを言う。また、「他のレール」は、前記アウターレール及び前記インナーレールに対して前記長手方向へスライド可能に係合された他のアウターレール又は他のインナーレールであることが好ましい（第３実施形態（図７〜図８）参照）。「他のレール」は、１つに限られず、２以上の他のレールが互いに長手方向へ相対移動可能に連なった構造になっていてもよい。すなわち、複数のアウターレールと複数のインナーレールとが交互に連接され、かつ隣接するアウターレール及びインナーレールどうしが長手方向へスライド可能になっていてもよい。
【００１２】
また、本発明は、前記遊技機用スライドレールを含む遊技機であって、前記遊技機用スライドレールの長手方向を非水平方向へ向けた姿勢で前記遊技機用スライドレールが取り付けられていることを特徴とする。前記遊技機用スライドレールが非水平に配置されていても、補助転動体の滑り抵抗が働くことによって、リテーナを正規のスライド位置に確実に保持することができる。
【発明の効果】
【００１３】
本発明によれば、補助転動体をリテーナに容易かつ安定的に取り付けることができる。ひいては、スライドレールの組立てを簡易化できる。
【図面の簡単な説明】
【００１４】
【図１】図１（ａ）は、本発明の第１実施形態に係るスライドレールを含む遊技機の斜視図である。同図（ｂ）は、上記遊技機の側部役物及びその移動機構の斜視図である。同図（ｃ）は、上記遊技機の上部役物及びその移動機構の斜視図である。
【図２】図２（ａ）は、上記スライドレールを、そのインナーレールがアウターレール上の中間のスライド位置にある状態で、インナーレール側から見た正面図である。同図（ｂ）は、上記スライドレールを、インナーレールがアウターレールの一端（下端）側のスライド位置にある状態で示す斜視図である。同図（ｃ）は、同図（ａ）の状態におけるスライドレールの斜視図である。同図（ｃ）は、上記スライドレールを、インナーレールがアウターレールの他端（上端）側のスライド位置にある状態で示す斜視図である。
【図３】図３（ａ）は、図２（ａ）のＩＩＩａ−ＩＩＩａ線に沿う断面図である。図３（ｂ）は、図２（ａ）のＩＩＩｂ−ＩＩＩｂ線に沿う断面図である。
【図４】図４は、上記スライドレールの分解斜視図である。
【図５】図５は、上記スライドレールのリテーナ及び滑り止め部材を拡大して示す分解斜視図である。
【図６】図６は、本発明の第２実施形態に係るスライドレールを示し、同図（ａ）は、インナーレールが一端（下端）側のスライド位置にある状態での斜視図である。同図（ｂ）は、インナーレールが中間のスライド位置にある状態での斜視図である。同図（ｃ）は、インナーレールが他端（上端）側のスライド位置にある状態での斜視図である。
【図７】図７は、本発明の第３実施形態に係るスライドレールを示し、同図（ａ）は、伸長した状態ないしは手前側のアウターレールが下端側のスライド位置にある状態での正面図である。同図（ｂ）は、同図（ａ）の状態での斜視図である。同図（ｃ）は、収縮した状態ないしは手前側のアウターレールが中間のスライド位置にある状態での斜視図である。
【図８】図８（ａ）は、図７（ａ）のＶＩＩＩａ−ＶＩＩＩａ線に沿う断面図である。図８（ｂ）は、図７（ａ）のＶＩＩＩｂ−ＶＩＩＩｂ線に沿う断面図である。
【図９】図９は、本発明の第４実施形態に係るスライドレールを示し、図９（ａ）は、図３（ａ）に相当する断面図である。図９（ｂ）は、図３（ｂ）に相当する断面図である。
【図１０】図１０は、上記第４実施形態に係るスライドレールの分解斜視図である。
【図１１】図１１は、上記第４実施形態に係るスライドレールのリテーナ及び滑り止め部材を拡大して示す分解斜視図である。
【発明を実施するための形態】
【００１５】
以下、本発明の実施形態を図面にしたがって説明する。
図１〜図５は、本発明の第１実施形態を示したものである。第１実施形態では、遊技機２にスライドレール１が組み込まれている。図１（ａ）に示すように、例えば、遊技機２は、遊技機本体２ａ（固定系）と、役物２ｂ，２ｃ（可動部材）を含む。遊技機本体２ａの正面の左右両側部に一対の側部役物２ｂ，２ｂが配置されている。遊技機本体２ａの正面の上側部に上部役物２ｃが配置されている。遊技機本体２ａ及び各役物２ｂ，２ｃの間にスライドレール１が設けられている。スライドレール１を介して、遊技機本体２ａと役物２ｂ，２ｃとが連結されている。また、図１（ｂ）及び（ｃ）に示すように、遊技機本体２ａには、役物２ｂ，２ｃごとに駆動部２ｄが設けられている。各駆動部２ｄの出力部が、対応する役物２ｂ，２ｃに連繋されている。
【００１６】
図１（ｂ）に示すように、遊技機本体２ａと各側部役物２ｂとの間のスライドレール１Ｂは、長手方向Ｄ１を水平に対して斜め（非水平方向）に向けて配置されている。側部役物２ｂが、対応する駆動部２ｄの駆動によってスライドレール１Ｂの長手方向Ｄ１に沿って案内される。つまりは、側部役物２ｂは、遊技機本体２ａに対して斜め（非水平方向）に往復移動される。
【００１７】
図１（ｃ）に示すように、遊技機本体２ａと上部役物２ｃとの間のスライドレール１Ｃは、長手方向Ｄ１を上下ないしは鉛直（非水平方向）に向けて配置されている。上部役物２ｃが、対応する駆動部２ｄの駆動によってスライドレール１Ｃの長手方向Ｄ１に沿って案内される。つまりは、上部役物２ｃは、遊技機本体２ａに対して上下（非水平方向）に往復移動される。
【００１８】
図２及び図３に示すように、スライドレール１（１Ｂ，１Ｃ）は、アウターレール１０と、インナーレール２０を備えている。これらレール１０，２０が、長手方向Ｄ１（図３において紙面直交方向）及び幅方向Ｄ２と直交する対向方向Ｄ３に対向している。図２（ｂ）〜（ｄ）に示すように、インナーレール２０は、アウターレール１０に対して長手方向Ｄ１へスライド可能になっている。アウターレール１０が、遊技機本体２ａに取り付けられて固定される。インナーレール２０が役物２ｂ又は２ｃに取り付けられて固定される。
なお、アウターレール１０が役物２ｂ，２ｃに取り付けられ、インナーレール２０が遊技機本体２ａに取り付けられてもよい。
【００１９】
図２及び図３に示すように、アウターレール１０は、レール本体部１１と、一対の外側凸縁部１３，１３（縁部）を含み、概略Ｕ字状（コ字状）の断面形状になっている。レール本体部１１は、長手方向Ｄ１へ直線状に延びる長尺の平板状になっている。レール本体部１１の幅方向Ｄ２の中央部には、取付穴１１ｃが形成されている。取付穴１１ｃを通して、アウターレール１０が遊技機本体２ａにネジ止めされる。レール本体部１１の長手方向Ｄ１の両端部には、それぞれストッパ１４が一体に形成されている。
【００２０】
レール本体部１１の幅方向Ｄ２の両端部には、それぞれ外側凸縁部１３が一体に形成されている。外側凸縁部１３は、レール本体部１１から対向方向Ｄ３にほぼ沿って突出されるとともに、レール本体部１１の全長にわたって延びている。外側凸縁部１３の内側面は、半円筒凹面になっている。
【００２１】
インナーレール２０は、レール本体部２１と、一対の内側凸縁部２３，２３（縁部）を含み、概略Ｕ字状（コ字状）の断面形状になっている。レール本体部２１は、長板状になっている。レール本体部２１ひいてはインナーレール２０の長さは、アウターレール１０の長さよりも数分の１程度短い。また、インナーレール２０の幅は、アウターレール１０の幅よりも小さい。レール本体部２１の幅方向Ｄ２の中央部には、ネジ穴２１ｃが形成されている。ネジ穴２１ｃを通して、インナーレール２０が役物２ｂ，２ｃにネジ止めされる。
【００２２】
レール本体部２１の幅方向Ｄ２の両端部には、それぞれ内側凸縁部２３が形成されている。内側凸縁部２３は、レール本体部２１から対向方向Ｄ３にほぼ沿って突出され、かつレール本体部２１の全長にわたって延びている。図３に示すように、内側凸縁部２３の外側面は、半円筒凹面になっている。このインナーレール２０が、アウターレール１０と平行に向けられて、アウターレール１０の幅方向Ｄ２の内側に配置されている。レール本体部２１が、レール本体部１１と対向方向Ｄ３（図３において上下）に離れて対向している。内側凸縁部２３，２３が、アウターレール１０の一対の外側凸縁部１３，１３どうしの間に挿し入れられている。幅方向Ｄ２の互いに同じ側の外側凸縁部１３及び内側凸縁部２３どうしが、幅方向Ｄ２（図３において左右）に対向している。
【００２３】
図２及び図３に示すように、アウターレール１０とインナーレール２０との間にリテーナ３０が介在されている。リテーナ３０は、リテーナ本体部３１（幅方向の内側部分）と、保持凸縁部３３，３３（縁部）とを有している。図２に示すように、リテーナ本体部３１は、長板状に形成され、レール本体部１１，２１どうし間に配置されている。リテーナ３０の長さは、アウターレール１０よりも短く、かつインナーレール２０よりも長い。
【００２４】
図３に示すように、リテーナ本体部３１は、一対の底板部３１ａ，３１ａと、一対の側板部３１ｂ，３１ｂと、上板部３１ｃを含む。一対の底板部３１ａ，３１ａが幅方向Ｄ２に並んで配置されている。上板部３１ｃは、底板部３１ａ，３１ａどうしの間において、底板部３１ａよりもインナーレール２０側（図３において上側）に突出して配置されている。上板部３１ｃの幅方向Ｄ２の両端部と各底板部３１ａとを結ぶ段差状の部分が、側板部３１ｂとなっている。側板部３１ｂは、底板部３１ａ及び上板部３１ｃに対してほぼ直交している。底板部３１ａがレール本体部１１に近接し、上板部３１ｃがレール本体部２１に近接している。図２（ｃ）に示すように、上板部３１ｃの長手方向Ｄ１の両端部には、それぞれストッパ３４が設けられている。
【００２５】
図３に示すように、リテーナ３０の幅方向Ｄ２の両端部には、それぞれ保持凸縁部３３が形成されている。各保持凸縁部３３は、底板部３１ａからほぼ対向方向Ｄ３に突出されている。この保持凸縁部３３が、レール１０，２０の互いに対峙する外側凸縁部１３及び内側凸縁部２３どうしの間に挿し入れられている。図４に示すように、保持凸縁部３３には、複数の切込み３３ｃ，３３ｃ…が長手方向Ｄ１に間隔を置いて形成されている。隣接する切込み３３ｃ，３３ｃどうしの間が、四角形の小片状の保持片３３ｂとなっている。複数の保持片３３ｂ，３３ｂ…が、長手方向Ｄ１に並べられている。各保持片３３ｂには、円形の保持穴３３ａが形成されている。保持穴３３ａの内周面は球面座になっている。
【００２６】
図３（ａ）に示すように、各保持片３３ｂの保持穴３３ａに球形の転動体４０が回転可能に保持されている。転動体４０は、硬質金属にて構成されている。図２に示すように、複数の転動体４０が、リテーナ３０の長手方向Ｄ１に間隔を置いて配置されている。図３に示すように、この転動体４０が、レール１０，２０の互いに対峙する外側凸縁部１３及び内側凸縁部２３どうしの間に挟まれて転動可能になっている。
【００２７】
図２（ｂ）〜（ｄ）に示すように、リテーナ３０は、アウターレール１０及びインナーレール２０に対して長手方向Ｄ１へスライド可能になっている。駆動部２ｄ（図１）によって役物２ｂ，２ｃを移動させると、インナーレール２０が、役物２ｂ，２ｃと一体にアウターレール１０の長手方向Ｄ１に沿って移動される。これに伴って、転動体４０が、外側凸縁部１３及び内側凸縁部２３上を転がる。これによって、役物２ｂ，２ｃを小さな力でスムーズに移動させることができる。リテーナ３０は、インナーレール２０の移動速度の２分の１の速度で移動される。したがって、図２（ｂ）〜（ｄ）に示すように、アウターレール１０上における、インナーレール２０のスライド位置に応じて、リテーナ３０の正規のスライド位置が一義的に定まっている。図２（ｂ）及び同図（ｄ）に示すように、リテーナ３０が、アウターレール１０の長手方向Ｄ１の何れかの側のストッパ１４に突き当たったとき、インナーレール２０が、リテーナ３０の同じ側のストッパ３４に突き当たる。
【００２８】
図２に示すように、さらにスライドレール１には、１又は複数の滑り止め部材５０が設けられている。複数の滑り止め部材５０は、長手方向Ｄ１に互いに間隔を置いて配置されている。図４に示すように、各滑り止め部材５０は、軸（シャフト）５１と、一対の補助転動体５３，５３を有している。軸５１は、剛性金属にて構成され、円柱形状ないしはピン形状になっている。軸５１の軸線は、スライドレール１の幅方向Ｄ２へ向けられている。
【００２９】
軸５１の両端部に補助転動体５３がそれぞれ設けられている。補助転動体５３は、軸５１と同軸の円盤形状になっている。図３（ａ）に示すように、補助転動体５３の中央部には中心孔５３ｃが形成されており、この中心孔５３ｃに軸５１の端部が挿入されて固定されている。補助転動体５３の材質は、アウターレール１０及びインナーレール２０に対して滑り抵抗を発現するものであることが好ましく、ここではゴムである。レール１０，２０に対する、ゴム製の補助転動体５３の滑り抵抗は、金属製の転動体４０の滑り抵抗よりも大きい。
【００３０】
各滑り止め部材５０ひいては補助転動体５３が、リテーナ３０に対して軸５１の軸線まわりに回転可能になっている。図３に示すように、各補助転動体５３は、リテーナ本体３１における側板部３１ｂと内側凸縁部２３との間の部分に配置されている。したがって、補助転動体５３は、転動体４０よりも幅方向Ｄ２の内側部分に配置されている。さらに、各補助転動体５３は、レール本体部１１，２１どうしの間に挟まれて転動可能になっている。
【００３１】
滑り止め部材５０は、次のようにして、リテーナ３０に取り付けられている。
図４に示すように、リテーナ本体部３１の一対の底板部３１ａ，３１ａには、複数の貫通穴３１ｄ，３１ｄ…が形成されている。これら貫通穴３１ｄ，３１ｄ…は、幅方向Ｄ２に二列をなして、長手方向Ｄ１に間隔を置いて並べられている。図５に示すように、各貫通穴３１ｄは、概略四角形状になっており、底板部３１ａをその厚み方向に貫通している。さらに、貫通穴３１ｄは、底板部３１ａ及び側板部３１ｂのＬ字状の交差部分に及んでいる。
【００３２】
図３（ａ）に示すように、リテーナ本体部３１の一対の側板部３１ｂ，３１ｂにおける各貫通穴３１ｄの幅方向Ｄ２の側部は、軸受部３１ｅを構成している。図５に示すように、軸受部３１ｅは、軸受凹部３１ｆを有している。軸受凹部３１ｆは、側板部３１ｂにおける貫通穴３１ｄ側の縁に達し、アウターレール１０に向かって開口されている。軸受凹部３１ｆの奥側（上板部３１ｃ側）の端部は、半円凹形状になっている。一対の軸受部３１ｅ，３１ｅが、リテーナ３０の幅方向Ｄ２に対峙している。
【００３３】
図４に示すように、幅方向Ｄ２に一対をなす軸受部３１ｅ，３１ｅに、１つの滑り止め部材５０が対応して配置されている。図３（ａ）及び図５に示すように、この滑り止め部材５０の軸５１の両端部が、一対の軸受部３１ｅ，３１ｅの軸受凹部３１ｆ，３１ｆに受け入れられている。軸受部３１ｅ，３１ｅによって、軸５１が回転可能に支持されるとともに、長手方向Ｄ１に移動規制されている。補助転動体５３，５３は、対応する貫通穴３１ｄに通されるとともに、軸５１を介してリテーナ３０に回転可能に保持されている。軸５１及び補助転動体５３の回転方向は、軸５１の軸線まわりにのみ制限されている。また、各補助転動体５３の幅方向Ｄ２の内側に軸受部３１ｅが近接して配置されることで、補助転動体５３ひいては滑り止め部材５０が幅方向Ｄ２に移動規制されている。さらに、軸５１が軸受凹部３１ｆの奥側端部に近接又は当接し、かつ補助転動体５３がアウターレール１０に当接することによって、滑り止め部材５０が対向方向Ｄ３に移動規制されている。
【００３４】
上記構成のスライドレール１を組み立てる際は、滑り止め部材５０の軸５１を、対向方向Ｄ３に沿って軸受凹部３１ｆに差し込む。これによって、滑り止め部材５０をリテーナ３０に容易に取り付けることができる。しかも、リテーナ３０との係合だけで滑り止め部材５０を長手方向Ｄ１及び幅方向Ｄ２に移動規制することができる。さらに、リテーナ３０とアウターレール２０とを組み付けることによって、滑り止め部材５０を対向方向Ｄ３にも移動規制することができる。これによって、滑り止め部材５０をリテーナ３０から簡単には外れないようにして安定的に保持させることができる。この結果、スライドレール１の組立作業を容易化できる。
貫通穴３１ｄの内周面を球面座にする必要がなく、その分だけリテーナ３０の製造を容易化できる。
また、１つの軸５１をリテーナ３０に取り付けることで、２つの補助転動体５３，５３を同時にリテーナ３０に取り付けることができる。したがって、組立作業を効率化できる。
スライドレール１を遊技機２に取り付ける際は、補助転動体５３がスライドレール１の幅方向Ｄ２のちょうど中央部からずれて配置されているため、取付穴１１ｃ及びネジ穴２１ｃに挿通されるネジと補助転動体５３とが干渉するのを確実に回避できる。したがって、レール１０，２０を遊技機２に容易かつ確実にネジ止めすることができる。
【００３５】
インナーレール２０がアウターレール１０に対してスライドする際は、凸縁部１３，２３間に挟まれた転動体４０が転動するとともに、レール本体部１１，２１間に挟まれた補助転動体５３が転動する。これに伴い、リテーナ３０が、正規のスライド位置を保つように、インナーレール２０の２分の１の速度でスライドされる。さらに、リテーナ３０の移動に伴って、インナーレール２０よりも長手方向Ｄ１の外側の転動体４０及び補助転動体５３が、アウターレール１０上を転動する。
【００３６】
ここで、何らかの原因で、リテーナ３０がアウターレール１０に対して正規のスライド位置からずれようとすると、補助転動体５３とレール本体部１１，２１との間に大きな滑り抵抗が働く。これによって、リテーナ３０のずれを阻止することができる。特に、図１（ｂ）及び（ｃ）に示すように、遊技機２におけるスライドレール１（１Ｂ，１Ｃ）は、斜め又は鉛直に配置されているため、リテーナ３０には、常時、正規のスライド位置からずれる向きに重力が作用している。これに対して、補助転動体５３の滑り抵抗が働くことで、重力による上記のずれを確実に防止することができる。また、役物２ｂ，２ｃひいてはインナーレール２０のスライドを多数回繰り返したとしても、補助転動体５３の滑り抵抗作用によって、リテーナ３０が正規のスライド位置に保持されるようにできる。したがって、アウターレール１０の長手方向Ｄ１の中途部でインナーレール２０とリテーナ３０が相対移動不能になって動きが悪くなるのを回避できる。
【００３７】
次に、本発明の他の実施形態を説明する。以下の実施形態において、既述の形態と重複する構成に関しては図面に同一符号を付して説明を省略する。
図６は、本発明の第２実施形態を示したものである。第２実施形態のスライドレール１Ｘは、インナーレール２０が、第１実施形態よりも長く、アウターレール１０とほぼ同じ長さに形成されている。このインナーレール２０が、アウターレール１０に対して長手方向Ｄ１にスライドされることで、スライドレール１Ｘの全体が伸縮される。一方、リテーナ３０は、インナーレール２０よりも短く、アウターレール１０の両端部間でのみスライドされる。第２実施形態のスライドレール１Ｘによれば、第１実施形態よりもインナーレール２０を長くした分だけ、ストロークを長くでき、ひいては、役物２ｂ，２ｃ（図１参照）のストロークを長くできる。
【００３８】
図７及び図８は、本発明の第３実施形態を示したものである。第３実施形態のスライドレール１Ｙは、一対のアウターレール１０，１０と、１つのインナーレール２０と、２つのリテーナ３０，３０を備えている。一対のアウターレール１０，１０は、平行かつ互いの外側凸縁部１３，１３どうしが対向方向Ｄ３に向き合うように配置されている。図８（ｂ）において例えば上側（一方）のアウターレール１０が、遊技機本体２ａに固定される。図８（ｂ）において下側（他方）のアウターレール１０が役物２ｂ，２ｃに固定される。
【００３９】
一対のアウターレール１０，１０どうしの間にインナーレール２０が配置されている。インナーレール２０は、下側のアウターレール１０（他のレール）を介して間接的に役物２ｂ，２ｃに取り付けられている。インナーレール２０の長さは、第２実施形態（図６）と同様に、アウターレール１０の長さと略等しい。インナーレール２０の断面形状は、Ｈ字形状になっている。つまり、内側凸縁部２３が、レール本体部２１の幅方向Ｄ２の両端部から対向方向Ｄ３の両側へそれぞれ突出されている。
【００４０】
一方のアウターレール１０とインナーレール２０との間に１つのリテーナ３０が介在されている。他方のアウターレール１０とインナーレール２０との間にもう１つのリテーナ３０が介在されている。リテーナ３０の長さは、第２実施形態（図６）と同様に、インナーレール２０よりも短い。各々のリテーナ３０の保持凸縁部３３に転動体４０が保持され、かつ各々のリテーナ３０のリテーナ本体部３１に滑り止め部材５０が保持されている。第３実施形態のスライドレール１Ｙによれば、一方のアウターレール１０に対して、インナーレール２０が長手方向Ｄ１にスライドされ、さらに、このインナーレール２０に対して他方のアウターレール１０が長手方向Ｄ１にスライドされる。これによって、スライドレール１Ｘの全体が伸縮される。３つのレール１０，２０，１０が連なることで、ストロークを第２実施形態よりも更に大きくすることができる。
【００４１】
図９〜図１１は、本発明の第４実施形態を示したものである。第４実施形態のスライドレール１Ｚにおいては、滑り止め部材５０Ｚの補助転動体５３，５３が、軸５１の最端部よりも内側に配置されている。言い換えると、軸５１が補助転動体５３よりもスライドレール１Ｚの幅方向Ｄ２に突出されている。この突出端部５１ｅが、リテーナ３０の軸受部３１ｅに回転可能に支持されている。
【００４２】
図１０に示すように、リテーナ３０の上板部３１ｃには、複数の貫通穴３１ｇ，３１ｇ…が貫通形成されている。各貫通穴３１ｇは、リテーナ３０の長手方向Ｄ１へ延びるスロット状になっている。これら貫通穴３１ｇ，３１ｇ…が、上板部３１ｃの幅方向Ｄ２の両側部において二列をなし、かつ長手方向Ｄ１に間隔を置いて配置されている。図１１に示すように、各貫通穴３１ｇの幅方向Ｄ２の外側の側方に軸受部３１ｅが配置されている。
【００４３】
図９に示すように、補助転動体５３は、軸受部３１ｅひいては側板部３１ｂよりも幅方向Ｄ２の内側に少し離れて配置されている。この補助転動体５３が、貫通穴３１ｇに挿通されることによって、アウターレール１０と接するとともに、インナーレール２０と接触可能になっている。補助転動体５３は、貫通穴３１ｇの縁によって幅方向Ｄ２に移動規制されている。
【００４４】
本発明は、上記の実施形態に限定されるものではなく、発明の趣旨に反しない限りにおいて種々の改変をなすことができる。
例えば、１つの軸５１に補助転動体５３が１つだけ設けられていてもよい。１つの軸５１に補助転動体５３が３つ以上設けられていてもよい。
補助転動体５３が、軸５１に対して分離可能であってもよい。
軸５１が、リテーナ３０に対して固定されており、補助転動体５３が、軸５１のまわりに回転可能になっていてもよい。
補助転動体５３が、スライドレール１，１Ｘ〜１Ｚの幅方向Ｄ２の中央部に配置されていてもよい。
補助転動体５３が、球形状であってもよい。
補助転動体５３の材質は、ゴムに限られず、樹脂であってもよく、金属であってもよい。
補助転動体５３と軸５１とが、金属にて一体に形成されていてもよい。
複数の実施形態の独自構成を互いに組み合わせてもよい。例えば、第４実施形態（図９〜図１１）の滑り止め部材５０Ｚを、第２、第３実施形態の滑り止め部材に適用してもよい。
第３実施形態（図７〜図８）の変形例として、複数のアウターレール１０，１０…と複数のインナーレール２０，２０…とが交互に連接され、かつ隣接するレール１０，２０どうしが長手方向へスライド可能になっていてもよい。
【産業上の利用可能性】
【００４５】
本発明は、例えば遊技機における役物を遊技機本体に対してスライドさせるためのスライドレールに適用可能である。
【符号の説明】
【００４６】
Ｄ１        長手方向
Ｄ２        幅方向
１（１Ｂ，１Ｃ）  スライドレール
１Ｘ〜１Ｚ  スライドレール
２          遊技機
２ａ        遊技機本体
２ｂ        側部役物（可動部材）
２ｃ        上部役物（可動部材）
１０        アウターレール
１３        外側凸縁部（縁部）
２０        インナーレール
２３        内側凸縁部（縁部）
３０        リテーナ
３１        リテーナ本体部（内側部分）
３１ｅ      軸受部
３１ｆ      軸受凹部
３３        保持凸縁部（縁部）
４０        転動体
５１        軸
５３        補助転動体
【図１】
0006473604.tif 000002
【図２】
0006473604.tif 000003
【図３】
0006473604.tif 000004
【図４】
0006473604.tif 000005
【図５】
0006473604.tif 000006
【図６】
0006473604.tif 000007
【図７】
0006473604.tif 000008
【図８】
0006473604.tif 000009
【図９】
0006473604.tif 000010
【図１０】
0006473604.tif 000011
【図１１】
0006473604.tif 000012